(57)【特許請求の範囲】
【請求項１】
装置を構成する各機能部における電力の供給を自律的に制御する情報処理装置であって、
画像を表示するための処理の開始を指示する制御手段と、
前記制御手段の指示によって画像データ生成処理を開始する画像データ生成手段と、
前記画像データ生成手段によって生成された画像データを使って画像を媒体上に表示する画像表示処理を実行する画像表示手段と、
前記制御手段、前記画像データ生成手段、前記画像表示手段に対する電力の供給を制御する電力供給マネジメント手段と、
を含み、
前記制御手段が画像の描画開始命令を前記画像データ生成手段に通知した後、前記電力供給マネジメント手段に対して当該制御手段に対する電力供給停止を指示し、前記画像データ生成手段が、画像データ生成の終了を前記画像表示手段に通知すると共に、前記画像表示手段は画像表示処理の終了を前記画像データ生成手段に通知し、前記画像データ生成手段は電力供給マネジメント手段に対して電力供給停止を指示し、前記電力供給マネジメント手段は、前記制御手段の電力供給停止の指示を受けたことによって前記制御手段に対する電力の供給を停止し、かつ前記画像データ生成手段からの電力供給停止の指示を受けて前記画像データ生成手段、前記画像表示手段に対する電力の供給を停止することを特徴とする情報処理装置。
【請求項２】
画像を表示するための処理の開始を指示する制御手段、前記制御手段の指示によって画像データ生成処理を開始する画像データ生成手段、前記画像データ生成手段によって生成された画像データを使って画像を媒体上に表示する画像表示処理を実行する画像表示手段、を備えた情報処理装置の制御方法であって、
画像を表示するための処理の開始を指示する開始指示信号を入力し、前記画像データ生成手段に対する電力の供給を開始すると共に、前記制御手段による指示にしたがって当該制御手段に対する電力の供給を停止する第１電力制御ステップと、
前記第１制御ステップによって電力供給開始された前記画像データ生成手段から、当該画像データ生成手段によって生成された画像データに基づく画像表示の終了を通知する終了信号を入力し、前記画像データ生成手段、前記画像表示手段に対する電力の供給を停止する第２電力制御ステップと、
を含むことを特徴とする情報処理装置の制御方法。
【発明の詳細な説明】
【技術分野】
【０００１】
本発明は、装置内部における電力の供給を自律的に制御可能な情報処理装置及びその情報処理方法に関する。
【背景技術】
【０００２】
近年、コンピュータシステム技術の分野においては、処理を行っていない場合に装置内部における電力の供給を停止し、装置に対する入力操作が行われた場合等、処理の必要が生じた場合に、瞬時に電力の供給を再開することにより、待機時における消費電力を削減する電力制御技術が開発されている。
例えば、ＰＤＡ（Personal Digital Assistant）等の携帯型の機器においては、一定時間操作が行われない場合、ＣＰＵが低周波数で動作すると共に、周辺回路への電力の供給を停止する低消費電力モードに自動的に移行し、操作が行われた場合に、通常の状態に復帰して処理を行うことにより、待機時の消費電力の削減を図るものが知られている。
【０００３】
また、装置を構成する各機能部への電力供給を自律的に制御する装置にあって、電力制御部が、電力をパワーマネジメントドメインを単位にして供給し、パワーマネジメントドメインに含まれる機能部の動作が終了するごとにパワーマネジメントドメインへの電力供給を停止する技術が特許文献１に記載されている。
【特許文献１】特願２００４−２２５１６２号
【発明の開示】
【発明が解決しようとする課題】
【０００４】
ところで、近年、携帯可能な情報処理装置が普及しており、このような情報処理装置にあっては低消費電力化が強く要求されている。また、携帯可能な情報処理装置の多くが画像表示機能を持っていて、メモリ上で画像データを生成するグラフィックスプロセッシングユニット（ＧＰＵ：Graphics Processing Unit）と、生成された画像データを使ってディスプレイに画像を表示するディスプレイコントローラ（ＤＣ：display controller）とを備え、ＧＰＵ及びＤＣによってなされる一連の処理の開始、終了は、一般的にＣＰＵ（Central Processing Unit）によって制御されている。
【０００５】
しかしながら、このような構成に特許文献１の従来技術を適用した場合、ＧＰＵ及びＤＣを１つのパワードマネジメントメインを構成し、ＣＰＵがこのパワードマネジメントメインとは別個のパワードマネジメントメインとなる。このため、従来技術では、画像データの生成から画像表示の完了までの間ＧＰＵ及びＤＣに電力を供給することが必要であった。その上、ＣＰＵに対しても画像表示の完了まで電力を供給してＧＰＵ及びＤＣの動作を制御させなければならなかった。
【０００６】
従来技術は、以上の点において、低消費電力化のためのさらなる改善の余地を残すものであった。
本発明の課題は、自律的に電力の供給を制御可能な情報処理装置及び情報処理装置の制御方法において、各機能部に対して電力を供給する時間をより短縮し、いっそうの省力化を図ることによって情報処理装置全体をさらに低消費電力化することである。
【課題を解決するための手段】
【０００７】
以上の課題を解決するため、本発明の情報処理装置は、装置を構成する各機能部における電力の供給を自律的に制御する情報処理装置であって、画像を表示するための処理の開始を指示する制御手段と、前記制御手段の指示によって画像データ生成処理を開始する画像データ生成手段と、前記画像データ生成手段によって生成された画像データを使って画像を媒体上に表示する画像表示処理を実行する画像表示手段と、前記制御手段、前記画像データ生成手段、前記画像表示手段に対する電力の供給を制御する電力供給マネジメント手段と、を含み、前記画像データ生成手段が、画像データ生成の終了を前記画像表示手段に通知すると共に、前記画像表示手段は直接または間接的に画像表示処理の終了を前記電力供給マネジメント手段に通知し、前記電力供給マネジメント手段は、前記制御手段の指示を受けたことによって制御手段に対する電力の供給を停止し、かつ画像表示処理の終了の通知を受けて前記画像データ生成手段、前記画像表示手段に対する電力の供給を停止することを特徴とする。
【０００８】
このような発明によれば、画像データ生成手段が、画像データ生成の終了を画像表示手段に通知すると共に画像表示手段は直接または間接的に画像表示処理の終了を電力供給マネジメント手段に通知することができる。そして、電力供給マネジメント手段が、制御手段の指示を受けたことによって制御手段に対する電力の供給を停止し、かつ画像表示処理の終了の通知を受けて画像データ生成手段、画像表示手段に対する電力の供給を停止することができる。
【０００９】
このため、画像データの生成が開始した後は制御手段が電力を消費することがなく、情報処理装置を省力化することができる。また、制御手段に対する電力供給を停止しても処理終了後に他からの制御を受けることなく画像データ生成手段、画像表示手段の電源を切断することができる。
このような本発明は、各機能部に対して電力を供給する時間をより短縮し、いっそうの省力化を図ることによって情報処理装置全体をさらに低消費電力化することができる。
【００１０】
また、本発明の情報処理装置は、前記画像データ生成手段が画像データ生成の終了を前記画像表示手段に通知すると共に、前記画像表示手段は、前記画像データ生成手段に画像表示処理の終了を通知し、画像データ生成手段を介して前記電力供給マネジメント手段に画像表示処理の終了を通知することを特徴とする。
このような発明によれば、画像データ生成手段に画像表示手段が画像表示処理の終了タイミングを通知することができる。このため、画像データ生成手段が画像表示手段に画像データを転送した後に他の処理を実行することができ、情報処理装置の処理効率をいっそう高めることができる。
【００１１】
また、本発明の情報処理装置の制御方法は、画像を表示するための処理の開始を指示する制御手段、前記制御手段の指示によって画像データ生成処理を開始する画像データ生成手段、前記画像データ生成手段によって生成された画像データを使って画像を媒体上に表示する画像表示処理を実行する画像表示手段、を備えた情報処理装置の制御方法であって、画像を表示するための処理の開始を指示する開始指示信号を入力し、前記画像データ生成手段に対する電力の供給を開始すると共に、前記制御手段に対する電力の供給を停止する第１電力制御ステップと、前記第１制御ステップよって電力供給開始された前記画像データ生成手段によって生成された画像データに基づく画像表示の終了を通知する終了信号を入力し、前記画像データ生成手段、前記画像表示手段に対する電力の供給を停止する第２電力制御ステップと、を含むことを特徴とする。
【００１２】
このような発明によれば、画像データの生成が開始した後は制御手段が電力を消費することがなく、情報処理装置を省力化することができる。また、制御手段に対する電力供給を停止しても処理終了後に他からの制御を受けることなく画像データ生成手段、画像表示手段の電源を切断することができる。
このような本発明は、各機能部に対して電力を供給する時間をより短縮し、いっそうの省力化を図ることによって情報処理装置全体をさらに低消費電力化することができる。
【発明を実施するための最良の形態】
【００１３】
以下、図を参照して本発明に係る情報処理装置の実施形態１、実施形態２を説明する。
（実施形態１）
図１は、本発明の実施形態１の情報処理装置を説明するための図である。図示した情報処理装置は、装置を構成する各機能部における電力の供給を自律的に制御する情報処理装置である。実施形態１の情報処理装置は、メモリカード等のデータ記録メディアや通信回線を通じて取得されたデータ等に基づいて画像表示する機能を有している。そして、画像を表示するための処理の開始を指示するＣＰＵ（Central Processing Unit）１０１、ＣＰＵ１０１の指示によって画像を表示するための画像データを生成するＧＰＵ（Graphics Processing Unit）１０５、ＧＰＵ１０５によって生成された画像データを使って画像を表示媒体上に表示する画像表示処理を実行するＤＣ（display controller）１０６、ＣＰＵ１０１、ＧＰＵ１０５、ＤＣ１０６に対する電力の供給を制御するパワーマネジメント回路（power management：以下ＰＭ）１０２を含む。
【００１４】
実施形態１では、ＧＰＵ１０５が、画像データ生成の終了をＤＣ１０６に通知すると共に、ＤＣ１０６が直接または間接的に画像表示処理の終了をＰＭ１０２に通知する。そして、ＰＭ１０２が、ＣＰＵ１０１の指示を受けたことによってＣＰＵ１０１に対する電力の供給を停止し、かつ画像表示処理の終了の通知を受けてＧＰＵ１０５、ＤＣ１０６に対する電力の供給を停止するものである。
【００１５】
以上の構成において、ＣＰＵ１０１は制御手段、ＧＰＵ１０５は画像データ生成手段、ＤＣ１０６は画像表示手段、ＰＭ１０２は電力供給マネジメント手段として機能する。
ＧＰＵ１０５は、ＣＰＵ１０１がメモリ１０４上に用意した命令を読み出しながら、ディスプレイ１０７に表示する画像を例えばメモリ１０４上に生成する処理を高速に行うハードウェアである。具体的には、ＧＰＵ１０５は、ＣＰＵ１０１がメモリ１０４上に用意したベクトル図形描画命令をラスタ図形に展開するといった描画処理を行う。
【００１６】
また、ＤＣ１０６は、ＧＰＵ１０５が描画処理を行った図形をディスプレイ１０７に表示するための画像データをディスプレイ１０７に出力する。このとき、ＤＣ１０６は、直接ディスプレイ１０７に画像データを送ることができるが、メモリ１０４に一旦描画データを格納してから送ることも可能である。この場合、メモリ１０４に格納された画像データを後に再利用することが可能となる。
【００１７】
さらに、実施形態１の情報処理装置は、ＣＰＵ１０１の制御に使用されるプログラムやデータ等を記憶するメモリ１０４を備え、周辺機器１０３と接続している。ＤＣ１０６は、表示媒体であるディスプレイ１０７に画像を表示する。ディスプレイ１０７は、記憶性液晶を用いた薄型の所謂電子ペーパと呼ばれるディスプレイである。また、メモリ１０４はＲＯＭ（Read Only Memory）やＮＶＲＡＭ（NonVolatile RAM）を含み、記憶すべき情報の種別によってＲＯＭや不揮発性のＮＶＲＡＭが使い分けられる。周辺機器１０３とは、例えば、メモリカードのコントローラや通信コントローラが考えられる。
【００１８】
ＰＭ１０２は、以上述べたＣＰＵ１０１、ＧＰＵ１０５、ＤＣ１０６といった各構成（機能部とも記す）を独立した電力供給を受ける単位（パワーマネジメントドメイン）として電力供給を制御する。ＰＭ１０２は、各パワーマネジメントドメインと電力の供給を行うための給電ラインによって接続されている。
なお、実施形態１では、ＣＰＵ１０１は１つのパワーマネジメントドメインを構成し、ＧＰＵ１０５とＤＣ１０６とが１つのパワーマネジメントドメインを構成するものであっても、別個のパワーマネジメントドメインを構成するものであってもよい。
【００１９】
また、各機能部は、クロック制御線や、リセット解除信号などの、電源制御に必要な制御信号線によって接続されている。さらに、機能部はバスによって接続されていて、互いに画像処理に必要なデータを授受することができる。
そして、実施形態１の情報処理装置は、ＧＰＵ１０５が、バスを介することなくＤＣ１０６に直接信号を出力することができる。実施形態１では、この信号を、ＤＣＧＯ信号と記す。ＤＣＧＯ信号は、ＧＰＵ１０５が画像データ生成が終了したことを通知してＤＣ１０６に起動開始を指示するための信号である。
【００２０】
次に、このように構成された実施形態１の情報処理装置の動作について説明する。図２は、実施形態１においてＧＰＵ１０５の起動前に予め実行される処理を説明するためのフローチャートである。図２に示したフローチャートにおいて、ＰＭ１０２は、オペレータがディスプレイ１０７のボタン操作、ディスプレイ１０７への通信ケーブルの接続あるいはメモリカードの接続等をしたことによって電子ペーパの操作開始を検出する（ステップＳ１）。そして、ＣＰＵ１０１を含むパワードメインに電力を供給する（ステップＳ２）。
【００２１】
さらに、ＣＰＵ１０１は、メモリ１０４に記憶されているＯＳ及びアプリケーションプログラムの実行を開始すると共に、メモリ１０４の所定領域をワークメモリとして確保する（ステップＳ３）。そして、ＰＭ１０２からイベント通知信号を取得し（ステップＳ４）、発生したイベントの内容を判定する（ステップＳ５）。
【００２２】
ステップＳ５において、発生したイベントがいずれかのボタンに対する入力操作であると判定した場合、ＣＰＵ１０１は、入力操作されたボタンの種別を判定する（ステップＳ６）。
ステップＳ６において、ページ戻りボタン４が入力操作されたと判定した場合、ＣＰＵ１０１は、メモリ１０４から現在閲覧中のページ番号を取得し（ステップＳ７）、そのページ番号から“１”減じて現在閲覧中のページを１ページ戻す（ステップＳ８）。
【００２３】
また、ステップＳ６において、ページめくりボタン５が入力操作されたと判定した場合、ＣＰＵ１０１は、メモリ１０４から現在閲覧中のページ番号を取得し（ステップＳ９）、そのページ番号に“１”加算して現在閲覧中のページを１ページ進める（ステップＳ１０）。
ステップＳ８及びステップＳ１０の後、ＰＭ１０２は、メモリーカードコントローラを含む周辺回路ドメインに電力を供給し（ステップＳ１１）、新たに現在閲覧中となったページのデータをメモリカードから読み込む（ステップＳ１２）。
【００２４】
次に、ＰＭ１０２は、メモリーカードコントローラを含む周辺回路ドメインに対する電力の供給を停止し（ステップＳ１３）、ＣＰＵ１０１が発行した描画命令をメモリ１０４に記録する記録モードに移行する（ステップＳ１４）。そして、ＣＰＵ１０１が発行する、現在閲覧中となったページを描画する命令をメモリ１０４に記録した後（ステップＳ１５）、ＣＰＵ１０１が発行した描画命令を順次実行するＡＰＩ（Application Program Interface）モードに復帰する（ステップＳ１６）。
以上のフローチャートにより、実施形態１の情報処理装置は、ＣＰＵ１０１の電源が投入されていて（ステップＳ２）、ＣＰＵ１０１による描画命令の生成と生成された描画命令のメモリ１０４への記録が終了しているものとする。
【００２５】
図２に示したフローチャートの実行後、実施形態１の情報処理装置は、ＧＰＵ１０５、ＤＣ１０６に電力を供給し、各々の処理に必要なパラメータを設定する。
図３のタイミングチャートは、図中の左側に記されたＣＰＵ１０１、ＧＰＵ１０５、ＤＣ１０６の各機能部がオン、オフするタイミングを示す図であって、矢線の始点から終点が機能部のオンからオフを示している。また、矢線中に示した数字は、オンからオフの間のタイミングを説明するための番号である。
【００２６】
パラメータの設定は、次のように実行される。すなわち、ＣＰＵ１０１は、ＧＰＵ１０５及びＤＣ１０６への電力供給を開始する（タイミング１）。そして、ＣＰＵ１０１は、メモリ１０４における、画像データ生成に必要な描画命令の格納場所（ＧＰＵパラメータ）をＧＰＵ１０５へ書き込む（タイミング２）。次に、ＣＰＵ１０１は、メモリ１０４における、画像の表示に必要な画像データの格納場所（ＤＣパラメータ）をＤＣ１０６へ書き込む（タイミング３）。その後、ＣＰＵ１０１はＧＰＵ１０５に画像を生成するための処理の開始を指示する開始指示信号を出力する（タイミング４）。ＣＰＵ１０１からの指示を受けて、ＧＰＵ１０５はメモリ１０４に格納された描画命令に従って画像データを生成する処理を開始する（タイミング５）。
【００２７】
このとき、ＣＰＵ１０１は、ＰＭ１０２に自装置に対する電力供給を停止するよう命令する電源停止命令を送り、ＰＭ１０２がＣＰＵ１０１に対する電力の供給を停止することによってＣＰＵ１０１が停止する（タイミング６）。
以上の処理により、実施形態１は、ＧＰＵ１０５が動作開始した以降はＣＰＵ１０１に電力を供給する必要がなくなる。このため、ＣＰＵ１０１への通電時間を短縮し、情報処理装置全体を省力化することができる。また、ＣＰＵ１０１がＧＰＵ１０５及びＤＣ１０６を制御する必要がないので、ＧＰＵ１０５及びＤＣ１０６が動作している間はＣＰＵ１０１を他の処理に使用することも可能である。この場合、ＣＰＵ１０１を省力化することはできないものの、ＣＰＵを有効に活用することができるという他の効果を得ることができる。
【００２８】
ＧＰＵ１０５の処理が終了すると（タイミング７）、ＧＰＵ１０５はＤＣ１０６にＤＣＧＯ信号を出力し、表示処理の動作開始を指示する（タイミング８）。ＤＣ１０６は、タイミング３において予め設定されていた、画像の表示に必要な画像データの格納場所（ＤＣパラメータ）から画像データを読み出し、ディスプレイ１０７に表示する画像表示処理の実行を開始する（タイミング９）。
【００２９】
ＤＣ１０６は、画像表示処理が終了すると（タイミング１０）、ＰＭ１０２に終了を通知するＤＣＤＯＮＥ信号を出力する（タイミング１１）。ＰＭ１０２は、ＤＣＤＯＮＥ信号が入力されると、ＧＰＵ１０５及びＤＣ１０６への電力供給を停止する（タイミング１２）。
以上の処理により、実施形態１は、ＣＰＵ１０１が制御することなくＤＣ１０６が適正なタイミングで動作を開始し、ＧＰＵ１０５及びＤＣ１０６への電力供給を適正なタイミングで停止させることができる。
【００３０】
以上述べた実施形態１は、ＧＰＵ１０５が適正な動作開始タイミングをＤＣ１０６に指示することができる。このため、ＣＰＵ１０１がＤＣ１０６に動作開始タイミングを指示する必要がなく、ＧＰＵ１０５の動作開始後はＣＰＵ１０１に対する電力供給を停止することができる。したがって、実施形態１は、ＣＰＵ１０１の消費電力を低減することによって情報処理装置を省力化することができる。
【００３１】
（実施形態２）
次に、本発明の情報処理装置の実施形態２について説明する。図４は、本発明の実施形態２の情報処理装置を説明するための図である。図示した情報処理装置は、実施形態１の情報処理装置と同様の構成を備えていて、同様の構成については同様の符号を付して一部を略すものとする。
【００３２】
実施形態２の情報処理装置は、実施形態１と同様の機能部を備えていて、機能部間の信号の授受の方法についてのみ相違する。実施形態２の情報処理装置は、ＧＰＵ１０５が画像データ生成の終了をＤＣ１０６に通知すると共に、ＤＣ１０６は、ＧＰＵ１０５に画像表示処理の終了を通知し、ＧＰＵ１０５を介してＰＭ１０２に画像表示処理の終了を通知するものである。
【００３３】
すなわち、実施形態２の情報処理装置は、実施形態１では画像表示の終了時にＤＣ１０６が直接ＰＭ１０２にＤＣＤＯＮＥ信号を出力していたのに対し、ＤＣ１０６がＤＣＤＯＮＥ信号をＧＰＵ１０５に送信し、ＧＰＵ１０５がＤＣＤＯＮＥ信号が入力されたことによってＰＭ１０２に画像表示処理の終了を通知している。ＧＰＵ１０５がＰＭ１０２に画像表示処理の終了を通知するための信号を、実施形態２ではＧＰＵＤＯＮＥ信号と記す。
【００３４】
このような実施形態２の情報処理装置は、ＧＰＵ１０５とＤＣ１０６との間でＤＣＧＯ信号、ＤＣＤＯＮＥ信号をバスを介することなく授受できるよう構成する。また、ＧＰＵ１０５が、バスを介することなくＰＭ１０２にＧＰＵＤＯＮＥ信号を出力可能に構成する。
以下、実施形態２の情報処理装置に対する電力供給制御について説明する。実施形態２は、実施形態１と各機能部間で授受される信号が相違するものの、電力の制御は実施形態１と同様に行われる。このため、実施形態２においても、先に示した図３を使って実施形態２の電源制御を説明する。
【００３５】
実施形態２の情報処理装置は、タイミング１からタイミング６までは実施形態１と同様に動作する。すなわち、ＧＰＵ１０５およびＤＣ１０６の電源を投入して、ＧＰＵパラメータ、ＤＣパラメータを設定する。そして、ＣＰＵ１０１は、ＧＰＵ１０５に描画開始命令を書き込み、ＧＰＵ１０５は画像データの生成を開始する。その後ＣＰＵ１０１は、ＰＭ１０２に自ドメインに対する電力供給を停止する電源停止命令を送り、ＰＭ１０２がＣＰＵ１０１に対する電力の供給を停止することによってＣＰＵ１０１が停止する。
【００３６】
タイミング７でＧＰＵ１０５の画像データ生成処理が終了すると、ＧＰＵ１０５はＤＣ１０６にＤＣＧＯ信号を出力し、表示動作開始を指示する（タイミング８）。ＤＣ１０６は、メモリ１０４に格納された画像データをディスプレイ１０７に表示する画像表示処理を実行する（タイミング９）。
ＤＣ１０６は、画像表示処理の終了後（タイミング１０）、ＧＰＵ１０５に終了を通知するＤＣＤＯＮＥ信号を出力する（タイミング１１）。ＧＰＵ１０５は、ＤＣＤＯＮＥ信号が入力されると、ＰＭ１０２にＧＰＵＤＯＮＥ信号を出力する。ＧＰＵＤＯＮＥ信号が入力されたことにより、ＰＭ１０２は、ＧＰＵ１０５及びＤＣ１０６への電力供給を停止する（タイミング１２）。
【００３７】
以上の処理により、実施形態２は、ＧＰＵ１０５の動作開始後はＣＰＵ１０１に対する電力供給を停止することができる。したがって、実施形態２は、ＣＰＵ１０１の消費電力を低減することによって情報処理装置を省力化することができる。
また、実施形態２は、ＧＰＵ１０５が画像表示処理の終了通知を受けて給電停止をＰＭ１０２に依頼するため、ＧＰＵ１０５への電力供給停止をＧＰＵ１０５自身が制御することができる。このため、ＧＰＵ１０５がＤＣＧＯを出力した後に他の処理を実行しても処理の実行中に電力供給が停止する等の不具合を生じることがない。
【００３８】
したがって、実施形態２の構成は、ＧＰＵ１０５を他の処理に利用していっそう情報処理装置の使用効率を高めることができる。
また、実施形態２は、ＧＰＵ１０５を、ＤＣＧＯ信号の出力からＤＣＤＯＮＥ信号の入力までの間待機状態にすることができる。待機状態中はＧＰＵ１０５の消費電力を抑えることができるので、実施形態２は、他の処理を実行しない場合にもＧＰＵ１０５の消費電力を低減することが可能になる。
【００３９】
なお、ＧＰＵ１０５の消費電力を抑えることは、画像表示機能を持った機器においてＧＰＵ１０５が消費する電力が大きいことから、情報処理装置を省力化するのに有効な手段である。
また、実施形態２は、ＧＰＵ１０５がＤＣ１０６の画像表示終了後に再び動作することが可能である。このようなＧＰＵ１０５の動作は、例えば、図２のステップＳ１５の後に別のページの画像データを生成する命令を実行するステップを挿入することによって実現できる。１ページ分先の画像データを予め生成しておけば、次回のユーザ操作に対する情報処理装置の反応速度を向上させることができる。
【００４０】
また、実施形態２は、図２のステップＳ１５の後に別のページの画像データ生成及びこのデータのＤＣ１０６による表示命令を実行するステップを挿入することができる。この場合、実施形態２は、表示体を２画面持つ表示システムにおいて、２ページ分の描画と表示をまとめて行わせることができるようになる。また、ＣＰＵ１０１によって制御される画像処理のデバイスがＧＰＵ１０５だけになってＣＰＵ１０１のソフトウェア開発が容易になる。さらに、将来ＤＣ１０６をＧＰＵ１０５の中に統合する場合でも、システム設計やソフトウェア設計の変更が少なくて済むというメリットが生じる。
【図面の簡単な説明】
【００４１】
【図１】本発明の実施形態１の情報処理装置を説明するための図である。
【図２】本発明の実施形態１において、図１に示したＣＰＵが動作を開始するのに先立って実行する処理を説明するためのフローチャートである。
【図３】本発明の実施形態１の情報処理装置における電力供給の制御について説明するための図である。
【図４】本発明の実施形態２の情報処理装置を説明するための図である。
【符号の説明】
【００４２】
１０１  ＣＰＵ、１０２  ＰＭ、１０３  周辺機器、１０４  メモリ、１０５  ＧＰＵ、１０６  ＤＣ、１０７  ディスプレイ
【図１】
0004839936.tif 000002
【図２】
0004839936.tif 000003
【図３】
0004839936.tif 000004
【図４】
0004839936.tif 000005